(57)【要約】【課題】従来の吸引管は、吸引口が詰まりやすい。【解決手段】  吸引管を、側壁に複数の吸引口１４が設けられ、中空部１１を有するアウターチューブ１と、アウターチューブ１の中空部１１に回転可能に支持されたロータ２とを有し、ロータ２の外側に螺旋状のウォームスクリュー２２が設けられ、ロータ２の内側に中空部２１を有するものとした。  さらに、ロータ２の端部に、複数の羽根を有するドライブスクリュー２３を有するものとすると望ましい。さらに、吸引口１４の間隔をp、ウォームスクリュー２２の一波長の長さをλとすると、pを0.7λ以上0.8λ以下とすると望ましい。さらに、吸引口１４の直径をr、ウォームスクリュー２２の幅をwとすると、wをr以上とすると望ましい。【選択図】図１
2016150135.tif 000002
【特許請求の範囲】
【請求項１】
側壁に複数の吸引口が設けられ、中空部を有するアウターチューブと、
前記アウターチューブの中空部に回転可能に支持されたロータとを有し、
前記ロータの外側に螺旋状のウォームスクリューが設けられ、
前記ロータの内側に中空部を有することを特徴とする吸引管。
【請求項２】
請求項１において、前記ロータの端部に、複数の羽根を有するドライブスクリューを有することを特徴とする吸引管。
【請求項３】
請求項１において、前記吸引口の間隔をp、前記ウォームスクリューの一波長の長さをλとすると、pが0.7λ以上0.8λ以下であることを特徴とする吸引管。
【請求項４】
請求項１において、前記吸引口の直径をr、前記ウォームスクリューの幅をwとすると、wがr以上であることを特徴とする吸引管。
【発明の詳細な説明】
【技術分野】
【０００１】
本発明は、吸引管に関するものである。
【背景技術】
【０００２】
外科手術において、術野を妨げる出血等を吸引するために、吸引管が使用されている。また、湖・池等の水の濾過にも吸引管を使用することができる。
【０００３】
特許文献１に、外科手術で使われる金属製吸引管の先端の穴を組織片などで詰まらせないために、管全体をスポンジで覆ったスポンジ・カバー吸引器が記載されている。また、特許文献２に、吸引管に送水管を連通させて吸引口が詰まった際に送水して詰まりを除去する外科手術用サクションチューブが記載されている。特許文献３には、吸引流路外周を取り囲むように送水流路を設置して常時送水によって血液等の近寄りを防ぎながら管中央で持続的に吸引するトロッカーが記載されている。
【先行技術文献】
【特許文献】
【０００４】
【特許文献１】実開平７−２２７４３号公報
【特許文献２】実開平５−６８５４５号公報
【特許文献３】特開２０１２−８１１９１号公報
【発明の概要】
【発明が解決しようとする課題】
【０００５】
特許文献１に記載のスポンジカバーでは、長時間の使用によりスポンジそのものが目詰まりを起こし、吸引効率が低下する。手術領域に組織片が多い状況ではスポンジを頻繁に交換する必要があり、手術効率の低下や廃棄物の増加の原因となる。
【０００６】
特許文献２に記載の送水管連通サクションチューブでは、送水によって除去された組織片等が再び吸引口に引き寄せられ詰まってしまい、結果として吸引し詰まって送水を繰り返すこととなり、手術効率を低下させる。また、送水のための構造と配管及びポンプが必要となりコストが増大する。
【０００７】
特許文献３に記載の送水吸引トロッカーでは、特許文献２に記載の送水管連通サクションチューブと同様に、送水のための構造及びポンプが必要となりコストが増大する。さらに、送水部の開放端と吸引部の開放端が隣接しているため、送水された水が速やかに吸引されることとなるため、組織片の吸引口への近寄りを防ぐためには高速の送水流量が必要となる。送水流量の増加は吸引流量の増加を必要とするため、吸引効率を高くできない。
【０００８】
本発明は上記の課題に鑑みてなされたものであり、簡単な構成でありながら吸引口が詰まりにくい吸引管を提供することを目的とする。
【課題を解決するための手段】
【０００９】
上記課題を解決するために、本発明の一つの観点によれば、吸引管を、側壁に複数の吸引口が設けられ、中空部を有するアウターチューブと、アウターチューブの中空部に回転可能に支持されたロータとを有し、ロータの外側に螺旋状のウォームスクリューが設けられ、ロータの内側に中空部を有するものとした。
【００１０】
さらに、ロータの端部に、複数の羽根を有するドライブスクリューを有するものとすると望ましい。さらに、吸引口の間隔をp、ウォームスクリューの一波長の長さをλとすると、pを0.7λ以上0.8λ以下とすると望ましい。さらに、吸引口の直径をr、ウォームスクリューの幅をwとすると、wをr以上とすると望ましい。
【発明の効果】
【００１１】
本発明によれば、吸引口が詰まりにくい吸引管を提供することができる。また、簡易な構成の吸引管を既存の吸引装置に取り付けて利用することができる。
【図面の簡単な説明】
【００１２】
【図１】本発明の実施例に係る吸引管の概略を示す図である。
【図２】本発明の実施例に係るロータの概略を示す図である。
【図３】本発明の実施例に係るドライブスクリューの概略を示す図である。
【発明を実施するための形態】
【００１３】
以下、本発明の実施例を説明するが、本発明の実施形態は以下に説明する実施例に限定されるものではなく、本実施例を適宜変形して実施することが可能である。
【００１４】
図１は、本実施例の吸引管の概略を示す図である。円筒形状のアウターチューブ１は中空（１１）となっており、アウターチューブ１の内側にロータ２を有している。アウターチューブ１とロータ２は、使用時は水又は液体に浸されている。アウターチューブ１は、手前側が開口し、挿入部１２を有し、挿入部１２に吸引装置（図示せず。）の吸引部が挿入される。ロータ２は、円筒形状であり、中空（２１）となっており、遠位（奥側）と手前型の端が開口している。ロータ２は、外周に螺旋状のウォームスクリュー（ロータ凸部）２２を有している。アウターチューブ１には外側に複数の吸引口１４を有している。吸引口１４の個数は、本実施例では６個であるが、６個より多くてもかまわない。吸引口１４の個数は、３の倍数であることが吸引効率の観点から望ましい。吸引口の間隔pは、本実施例ではウォームスクリューの波長（間隔）λのほぼ3/4倍とされている。すなわち、p≒3/4λ＝0.75λとなる。ここで、吸引口の間隔とは、吸引口の中心間の距離のことをいう。ロータ２は手前側端部にドライブスクリュー２３を有しており、ドライブスクリュー２３は複数の羽根２４を有している。アウターチューブ１の内側開口部には抜け止め１３を有し、ロータ２が抜け止め１３に引っかかり、アウターチューブ１から外れないように支持されている。
【００１５】
ドライブスクリュー２３の外側の吸引装置（図示せず。）による吸引負圧による水流を受けて回転するドライブスクリュー２３と一体化している中空のロータ２をアウターチューブ１内部に軸周りに回転可能に設置し、アウターチューブ１の側壁にはウォームスクリュー２２の波長（間隔）のほぼ３／４の間隔で軸方向に並ぶ３個以上の吸引口１４が開いている。吸引口１４の列は複数あってもよい。ドライブスクリュー２３による回転の向きはウォームスクリュー２２による容積移送が遠位（ドライブスクリュー２３から遠ざかる向き）に向かうものとする。このような機構とすることで、吸引口１４の内側からの吸引圧力はONとOFFを繰り返すこととなる。吸引口１４の間隔を3/4λ(0.75λ)とすることで、吸引圧力があたかも吸引管の遠位に向かうように移動する。その結果、吸引口１４の直径rよりも小さい組織片等は吸引口１４からアウターチューブ１内部に吸引され、遠位に移動させられ押しやられる。遠位に押しやられた組織片等は最も遠位の吸引口１４の付近に滞在し、吸引口の直径rよりも小さい組織片や血液などの混濁物質はロータ中空部２１を通過して手前側に移動し、ドライブスクリュー２３を通過して吸引管外部に排出される。
【００１６】
図１の状態では、１番の矢印の吸引口１４の吸引力が最も大きく、３番の矢印の吸引口の吸引力はほぼゼロとなる。図１の状態からロータ２が180度回転した状態では、今度は１番の矢印の吸引口１４の吸引力はほぼゼロとなり、３番の矢印の吸引口１４の吸引力はほぼゼロとなる。このようにして、各吸引口１４の吸引力は、ロータの回転に伴ってONとOFFを繰り返すことになる。
【００１７】
本実施例によれば、吸引口１４の内側からの吸引力のONとOFFが繰り返され、吸引力が脈動するため、吸引口が組織片等で詰まりにくく、特許文献１のスポンジカバーのように交換する必要がない。また吸引された組織片等が吸引管の遠位先端付近におしやられる作用及び吸引圧力のON・OFFは、ドライブスクリュー２３による回転で自動的に行われるため、特許文献２のサクションチューブ及び特許文献３の送水吸引トロッカーのような送水用の設備や配管、ポンプが必要ない。さらに送水した液体を吸引することがないため、吸引効率が高い。
【００１８】
ロータ２を、モータ等を使用して回転させることも可能であるが、モータを設けると高価であり、故障の原因となり、メンテナンスの手間もかかってしまう。本実施例では、ロータ２の端部にドライブスクリュー２３を設けることで、簡素な構成で既存の吸引装置の吸引力を利用してロータ２の回転力を得ることができる。
【００１９】
吸引口１４の間隔pは、0.75λが最も組織片の移送効率が高いが、0.7λ以上0.8λ以下であれば高い移送効率が得られ、0.6λ以上0.9λ以下であれば、移送効果が得られる。
【００２０】
図２は、本実施例のロータ２の概要を示す図である。ウォームスクリュー２２の幅wは、吸引口１４の直径r以上とすることが望ましい。幅wをこのような寸法とすると、ロータ２の回転一周期の間に吸引口１４の吸引力がゼロとなる期間が生じ、吸引口１４の吸引力がONとOFFを繰り返し、吸引口１４が組織片等により詰まりにくくなるからである。
【００２１】
図３は、ドライブスクリュー２３を手前側から見た図である。羽根２４は奥行き方向に斜めに配置されており、図３の奥側から手前側への水流が羽根２４に当たることによりドライブスクリュー２３に回転力が生じ、ドライブスクリュー２３と一体化されているロータ２が回転する。
【００２２】
本発明は、外科手術用吸引管のみならず、湖等の水を濾過するための吸引管にも利用可能である。
【産業上の利用可能性】
【００２３】
本発明は、例えば外科手術用吸引管や水の濾過装置に用いる吸引管として産業上利用可能である。
【符号の説明】
【００２４】
１    アウターチューブ
１１  アウターチューブ中空部
１２  挿入部
１３  抜け止め
１４  吸引口
２    ロータ
２１  ロータ中空部
２２  ウォームスクリュー
２３  ドライブスクリュー
２４  羽根
【図１】
2016150135.tif 000003
【図２】
2016150135.tif 000004
【図３】
2016150135.tif 000005